(57)【要約】      （修正有）【課題】種々の外力（強風、降雪重量、降雪落下時の反跳力）が作用した場合にも、光ファイバーケーブルの切断や破損を確実に防止できる光ファイバー用の引込連結具を提供する。【解決手段】建物の外壁３に固定する壁側カプラ２０と、壁側カプラ２０に接続して、光ファイバーケーブル１０用の案内部材１２を係留させる係留カプラ３０とからなり、壁側カプラ２０と係留カプラ３０とを、仮止部材（２１）を介して接続し、仮止部材（２１）は、光ファイバーケーブル１０を介して予め設定した引張力が働いたときに、仮止めを解除して、係留カプラ３０と壁側カプラ２０とを分離させ、光ファイバーケーブル１０に弛みを与える（請求項１）。かかる構成によれば、さまざまな自然条件によって光ファイバーケーブルに強い引張力が作用したときに、仮止部材が係留カプラと壁側カプラとを分離させ、光ファイバーケーブルを弛緩させることによって破損／切断を防止する。【選択図】図１
0003207826.tif 000002
【実用新案登録請求の範囲】
【請求項１】
光ファイバーケーブルを建物に導く引込連結具であって、
当該引込連結具は、
建物の外壁に固定する壁側カプラと、
当該壁側カプラに接続して、前記光ファイバーケーブル用の案内部材を係留させる係留カプラとからなり、
前記壁側カプラと係留カプラとを、仮止部材を介して接続し、
当該仮止部材は、
前記光ファイバーケーブルを介して予め設定した引張力が働いたときに、仮止めを解除して、前記係留カプラと壁側カプラとを分離させ、
前記光ファイバーケーブルに弛みを与えることを特徴とする光ファイバー用の引込連結具。
【請求項２】
係留カプラと案内部材とを連絡するフック部材を設け、
当該フック部材と前記係留カプラとの間に、
コイルバネを介在させることを特徴とする請求項１記載の光ファイバー用の引込連結具。
【請求項３】
仮止部材は、
一定の引張力によって係合が外れるスナップ材、または、一定の引張力によって少なくともいずれか一方が破損するスナップ材であることを特徴とする請求項１または請求項２記載の光ファイバー用の引込連結具。
【請求項４】
壁側カプラと係留カプラとを結ぶ連絡材を設け、
当該連絡材は、
壁側カプラと係留カプラとが分離したときに、
光ファイバーケーブルと連結されている係留カプラの下方落下を防止するもので、
アーム材、または、ワイヤ線／金属線／紐材等の線材とすることを特徴とする請求項１〜請求項３記載の光ファイバー用の引込連結具。
【考案の詳細な説明】
【技術分野】
【０００１】
本考案は、通信用ケーブル、とくに光ファイバーケーブルを建物に引き込むための引込連結具に関する。
【背景技術】
【０００２】
図１３に示すように、電柱から電話線等の通信用ケーブル１を各家庭に導くため、従来は、コイルバネ（圧縮バネ）２を用いた。
【０００３】
３は、住宅の外壁、４は、外壁３の外側に配した固定板、５は、固定板４を抑えるネジ部材、６は、ナット、７は、通信用ケーブル１をコイルバネ２へ案内する碍子である。
【０００４】
下記特許文献１に記載されるように、コイルバネ２は、比較的引張強度の高いものを用いる。例えば、線径３ｍｍほどのステンレス製の鋼線を使用し、長さ１０ｃｍ、外径３ｃｍ、内径２ｃｍの圧縮バネを用いる等である。
【０００５】
コイルバネ２は、両端部にフック等の固定部材８を備え、一端を固定板４に係止させる一方、他端を碍子７の固定部材９に係着させる。
【０００６】
かかるコイルバネ２を用いて電話線等の通信用ケーブル１を案内することにより、強風時や降雪時に通信用ケーブル１にかかる外力（引張力）を吸収緩和し、引っ張りに起因する通信用ケーブル１の切断や破損を防止することが出来る。
【先行技術文献】
【特許文献】
【０００７】
【特許文献１】実用新案登録第３１７１１５３
【考案の開示】
【考案が解決しようとする課題】
【０００８】
ところで、近時、通信用ケーブル（１）は、従来の金属線に代わり光ファイバーが用いられるようになった。しかしながら、光ファイバーケーブルは、従来の金属線に比べて引っ張りに弱い。
【０００９】
このため、従来のように引張強度の高いコイルバネ（２）を使用すると、強風時や降雪時に、引張力を緩和する作用が働いたとしても、緩衝力が働く前に通信用ケーブル（１）が外力によって切断／破損する可能性がある。
【００１０】
そこで、本考案の目的は、種々の外力（強風、降雪重量、降雪落下時の反跳力）が作用した場合にも、光ファイバーケーブルの切断や破損を確実に防止可能とする点にある。
【課題を解決するための手段】
【００１１】
前記目的を達成するため、本考案に係る光ファイバーケーブル用の引込連結具は、建物の外壁に固定する壁側カプラと、当該壁側カプラに接続して、前記光ファイバーケーブル用の案内部材を係留させる係留カプラとからなり、壁側カプラと係留カプラとを、仮止部材を介して接続し、仮止部材は、光ファイバーケーブルを介して予め設定した引張力が働いたときに、仮止めを解除して、係留カプラと壁側カプラとを分離させ、光ファイバーケーブルに弛みを与える（請求項１）。
【００１２】
かかる構成によれば、強風、地震、降雪等、さまざまな自然条件によって光ファイバーケーブルに強い引張力が作用したときに、仮止部材が係留カプラと壁側カプラとを分離させ、光ファイバーケーブルを弛緩させることによって当該ケーブルの破損／切断を防止する。
【００１３】
仮止部材は、通常時において、壁側カプラと係留カプラとを確実に連結し、強い引っ張りが作用したときに結合が解除されるものであれば良い。両者の係合が外れるタイプ（再利用可能）、破壊によって結合が解除されるタイプ（部品交換を要する）、いずれであっても良い。
【００１４】
係留カプラと案内部材（例えば碍子）とを連絡するフック部材を設け、当該フック部材と前記係留カプラとの間に、コイルバネを介在させる場合がある（請求項２）。
【００１５】
係留カプラに接続する案内部材の手前（家屋外壁と逆側位置）にコイルバネを設けておけば、光ファイバーケーブルに深刻なダメージを与える可能性が少ない軽微な引っ張りが作用したとき（例えば、日常的な強風や積雪等）に、当該コイルバネによって光ファイバーケーブルにかかる引張力を緩和するとともに、仮止部材の結合解除を避けて、仮止部材が外れた際に必要となるメンテナンスの機会回数を軽減することが可能となる。
【００１６】
仮止部材は、一定の引張力によって係合が外れるスナップ材、または、一定の引張力によって少なくともいずれか一方が破損するスナップ材とする場合がある（請求項３）。
【００１７】
両者の結合／解除が可能なスナップ材を用いれば、台風時や大量降雪時に仮止めが外れたときにも、壁側カプラと係留カプラとを再び結合させることが可能であり、何度でも再利用が出来るのでメンテナンス費用も抑えることが出来る。
【００１８】
強い引張力が働いたときに破壊されるタイプのスナップ材は、再利用は出来ないため部品交換を要するが、光ファイバーケーブルの破損／切断を防止する点では同様の効果を発揮する。部品コストを抑えれば、再利用可能なスナップ材と同様にランニングコストを低く抑えることが出来る。
【００１９】
壁側カプラと係留カプラとを結ぶ連絡材を設け、当該連絡材は、壁側カプラと係留カプラとが分離したときに、光ファイバーケーブルと連結されている係留カプラの下方落下を防止するもので、アーム材、または、ワイヤ線／金属線／紐材等の線材によって構成する場合がある（請求項４）。
【００２０】
壁側カプラと係留カプラとの結合が外れたときは、連絡材がなければ、係留カプラは下方落下する。
【００２１】
家屋内に光ファイバーケーブルが引き込まれており、また係留カプラは光ファイバーケーブルと連結しているので、落下は一定の範囲にとどまるが、係留カプラの落下に起因して光ファイバーケーブルが破損する可能性もある。
【００２２】
そこで、壁側カプラと係留カプラとを結ぶ適宜の連絡材を設けておけば、係留カプラの脱落時にも、光ファイバーケーブルへの衝撃を避けることが出来、壁側カプラの落下に起因するケーブル破損を防止出来る。
【考案の効果】
【００２３】
本考案に係る光ファイバー用の引込連結具によれば、種々の外力（強風、降雪重量、降雪落下時の反跳力）が作用した場合にも、光ファイバーケーブルの切断や破損を確実に防止することが出来る。
【図面の簡単な説明】
【００２４】
【図１】第一の実施形態に係る光ファイバー用の引込連結具を示す図である。
【図２】図１に示す引込連結具の仮止部材を分離して例示する断面図である。
【図３】図２に示す仮止部材の結合状態を例示する断面図である。
【図４】第二の実施形態に係る光ファイバー用の引込連結具を示す図である。
【図５】図４に係る仮止部材の雌スナップ材を例示する平面図である。
【図６】図４に係る仮止部材の雄スナップ材を例示する平面図である。
【図７】図４に係るスナップ板の雌係合材を示す平面図である。
【図８】図４に係るスナップ板の雄係合材を示す平面図である。
【図９】図７、図８に示す係合材の結合を示す断面図である。
【図１０】図４に係る仮止部材に永久磁石を使用する場合を示す断面図である。
【図１１】図１に示す引込連結具に連絡材を設ける場合を例示する図である。
【図１２】図１に示す引込連結具にコイルバネを設ける場合を例示する図である。
【図１３】従来の引込連結具を例示する図である。
【考案を実施するための形態】
【００２５】
図１に示すように、本考案に係る光ファイバー用の引込連結具は、例えば、カプラプラグ（壁側カプラ／雄カプラ）２０とカプラソケット（係留カプラ／雌カプラ）３０とを用いる。
【００２６】
１０は、光ファイバーケーブル、１２は、光ファイバーケーブル１０の先端部を家屋側へ案内する碍子（案内部材）、１４は、碍子１２とカプラソケット３０とを連絡するフック部材である。
【００２７】
フック部材１４は、例えば、鉤状の湾曲部１４−２を碍子１２の一端に設けた環状部材１２−２と係合させる一方、他端部のナット１４−３とカプラソケット３０の突出ネジ３０−３とを螺合させることによって、光ファイバーケーブル１０をカプラソケット３０に間接的に連絡する。
【００２８】
一方、従来と同様、住宅の外壁３には固定板４を配する。この固定板４は、例えばネジ部材５およびナット６によって固定することが出来る。固定板４には、カプラプラグ２０を固定するための基材、例えばベースナット１３を適宜手段、例えば溶接によって配しておく。
【００２９】
そして、ベースナット１３にカプラプラグ２０を適宜手段（例えば螺合）によって嵌合させる（矢印Ｃ）一方、カプラプラグ２０とカプラソケット３０とを適宜手段、例えば差込挿入によって係合させる（矢印Ｂ）。
【００３０】
この場合、カプラプラグ２０とカプラソケット３０との係合（または嵌め合い）は、通常時には外れないが、台風時の強風や大量降雪時のように、光ファイバーケーブル１０を介してカプラソケット３０に強い引張力が作用したときに、両者の係合（嵌め合い）が外れる（解除される）仮止部材を介して連結しておく。
【００３１】
仮止部材は、具体的には、例えば図２、図３に示すように、カプラプラグ２０の差込材２１をテーパ状に成形し、その外周に適宜形状の凸部材２２を配する一方、差込材２１を受け入れるカプラソケット３０の差込孔３１は、前記差込材２１に応じたテーパ状に成形し、前記凸部材２２が嵌合する凹部３２を備えるよう成形する。
【００３２】
凸部材２２は、差込材２１の外周に均等間隔で複数設けても良いし、不連続ではないリングを用いても良い。凸部材２２の大きさ、解除する引っ張り強度の設定等、各種の条件に応じて凸部材２２の形状および凹部３２の形状を設定することが望ましい。凸部材２２の頂部（頭部）を円弧にすれば係合が外れやすくなるので、曲線率を増減変更し、或いは凸部材２２の設置個数や大きさを増減変更する等である。
【００３３】
引っ張りによる係合（嵌め合い）の解除は、凸部材２２が凹部３２から離脱して外れても良いし、或いは、凸部材２２が破損して外れても良い。光ファイバーケーブル１０を保護する点では、いずれでも同じ効果がある。
【００３４】
従って、かかる構成によれば、従来と略同様の作業によって光ファイバーケーブル１０を家屋に導くことが出来るため、作業性の困難はない。また、台風、大量降雪、大きな地震発生時に、光ファイバーケーブル１０に強い引っ張りが働いた場合は、カプラプラグ２０とカプラソケット３０との係合が解除され、光ファイバーケーブル１０に弛みを与えることが出来る。
【００３５】
この結果、引っ張りに起因する光ファイバーケーブル１０の切断や損傷事故を確実に低減させることが可能となる。
【００３６】
図４は、第二の実施形態を示すもので、カプラプラグ２０とカプラソケット３０のそれぞれに、スナップ板２５、３５を設け、当該スナップ板２５、３５を当接させ、スナップ板２５、３５に設けた仮止部材を介して連結／連結解除を行うものである。図１と同一の部材は、同一符号を附して重複する説明を省略する。
【００３７】
スナップ板２５、３５には、それぞれ、仮止部材である着脱自在のスナップ材を設ける。
【００３８】
例えば、図５に示すように、スナップ板２５にはバネホック（ボタンホック／丸ホック）の雌スナップ材２６を配する。また、図６に示すように、スナップ板３５にはバネホックの雄スナップ材３６を配し、雌スナップ材２６と雄スナップ材３６とを係合させることによって、カプラプラグ２０とカプラソケット３０とを連結させる。雌スナップ材２６と雄スナップ材３６の位置関係は逆でも良い。
【００３９】
バネホックは、雄スナップ材３６の頭（適宜形状のもの）が雌スナップ材２６の穴部２６−１に侵入したときに、バネ材２６−２が開いて雄スナップ材３６の頭を内部に案内し、雄スナップ材３６の頭が奥まで入ったときにはバネ材２６−２が閉じて、通常時は両者の係合を保つ。しかしながら、雌スナップ材２６または雄スナップ材３６のいずれか一方に、強い引っ張りが働いたときは、雄スナップ材３６の頭がバネ材２６−２の拘束を外れ、両者の係合が解除される。
【００４０】
この結果、カプラプラグ２０の差込材２１が、カプラソケット３０の差込孔（３１）に単純に挿入されている場合でも、雌スナップ材２６と雄スナップ材３６との係合により、カプラプラグ２０とカプラソケット３０とを比較的強固に連結させておくことが出来る一方、強風、地震、積雪等によって光ファイバーケーブル１０に強い引張力が作用したときには、雌スナップ材２６と雄スナップ材３６との係合を解除できる。従って、厳しい自然条件下でも光ファイバーケーブル１０の破損、切断等を防止できる。
【００４１】
スナップ板２５、３５の平面形状は、円形、正方形、その他の多角形など、適宜形状を用いることが出来る。雌スナップ材２６と雄スナップ材３６は、スナップ板２５、３５が例えば円形の場合、中心点から同心円（符号Ｑで示す）上に略均等間隔で二個以上配することが望ましい。配設個数は、三個、四個、五個、六個、それ以上と、適宜設計することが出来る。配設個数に応じて、バネホックの大きさも適宜設定する。光ファイバーケーブル１０の切断／破損を防止できる係合解除が可能であれば良い。スナップ板２５、３５の平面形状が方形、多角形の場合は、引張力を均等分散できる位置に雌スナップ材２６と雄スナップ材３６を配する。配設個数は限定されない。
【００４２】
図７〜図９は、スナップ板２５、３５の他の実施形態を示すものである。この場合の仮止部材は、例えば、上下方向に開口を備える雌係合材２７をスナップ板２５に配する一方、断面略Ｕ字状を呈するフック状の雄係合材３７をスナップ板３５に配し、雄係合材３７を雌係合材２７に係着させることによって、通常時の連結を保持させる。
【００４３】
そして、強風、大量降雪、地震等によって光ファイバーケーブル１０に強い引張力が働いたときは、例えば、フック状の雄係合材３７が引っ張りによって変形し、雌係合材２７から離脱するようにさせる。雄係合材３７を、例えば柔軟性のある金属（アルミニウム等）によって成形すれば、一定強度の引っ張りによって雄係合材３７の係合部位が延び、雌係合材２７から外れるようにすることが出来る。
【００４４】
かかる構成の場合、雌係合材２７および雄係合材３７のうち少なくとも一方が、一定強度の引張力が作用したときに破損するようにして、仮止め状態を解除するようにしても良い。例えば、雌係合材２７を樹脂によって成形し、雄係合材３７を剛性のある金属材で成形すれば、雄係合材３７に強い引っ張りが働いたときに、雌係合材２７を破壊して両者の結合を解除できる。雌係合材２７を剛性のある金属によって成形し、雄係合材３７を樹脂成形しても、雄係合材３７に強い引っ張りが働いたときに、雄係合材３７が破損して両者の結合を解除できる。
【００４５】
以上説明した仮止部材は、適宜、組み合わせて使用しても良い。例えば、カプラプラグ２０の差込材２１をテーパ状に成形し、その外周に適宜形状の凸部材２２を配する構成と、スナップ板２５、３５に配するスナップ材２６、３６を組み合わせ、或いは、スナップ板２５、３５に配する雌係合材２７、雄係合材３７を組み合わせる等である。
【００４６】
スナップ材２６、３６に代え、スナップ板２５、３５を磁石によって係合し、強い引張力が働いたときに係合解除する構成であっても良い。磁石を利用するときは、例えば、図１０に示すように、Ｓ極の永久磁石５１を突出（雄係合材）させ、Ｎ極の永久磁石５２を適宜形状の筒材５３の奥に配して雌係合材とし、軽微な風や地震に起因する上下／左右の動きによる永久磁石５１、５２の係合解除を避けることが望ましい。
【００４７】
雄係合材（５１）の動きを拘束する筒材５３を用いれば、光ファイバーケーブル１０の軽度の動きによる係合解除を防止でき、その一方で、強い引張力が働いたときに永久磁石５１、５２の係合を解除出来る。筒材５３の断面形状は円形、方形等、適宜設計できる。筒材５３は、好ましくは金属製とする。経年劣化が少ないからである。永久磁石５１、５２の配設個数は問わない。
【００４８】
また、永久磁石５１、５２と前記スナップ材２６、３６／雌係合材２７、雄係合材３７とを組み合わせて使用しても良い。
【００４９】
また、実施に際しては、図１１に示すように、カプラプラグ（壁側カプラ／雄カプラ）２０とカプラソケット（係留カプラ／雌カプラ）３０とを、適宜の長さの連絡材６０を介して連絡しておくことが望ましい。カプラプラグ２０とカプラソケット３０とが分離したときに、光ファイバーケーブル１０と結合しているカプラソケット３０の自由落下を防止するためである。
【００５０】
連絡材６０は、細ワイヤ、金属線等を使用できる。また、適宜長のアーム材を使用しても良い。アーム材は伸縮可能なもの、またはガイドに沿って摺動するランナ部材をカプラソケット３０に結合させて使用することが望ましい。
【００５１】
連絡材６０によって、カプラプラグ２０とカプラソケット３０とを連結しておけば、カプラプラグ２０とカプラソケット３０とが分離したときにカプラソケット３０は下方へ落下するが、連絡材６０の長さに応じた適宜の位置で落下が止まる。これにより、カプラソケット３０の落下による光ファイバーケーブル１０の損傷を防止することが出来る。連絡材６０は、固定板４とカプラソケット３０とを連絡するものであっても良い。
【００５２】
凸部材２２を備えるカプラプラグ２０と、差込材２１をカプラソケット３０の位置関係は、逆であっても良い。その場合、カプラソケット３０が壁側カプラとなり、カプラプラグ２０が係留カプラとなる。
【００５３】
図１２は、カプラソケット（係留カプラ／雌カプラ）３０とフック部材１４との間にコイルバネ７０を介在させる場合を例示するものである。７１、７２は、適宜の連結部材である。矢印Ｇは，連結部材７１とカプラソケット３０とを連結させることを示し、矢印Ｈは、連結部材７２とフック部材１４とを連結させることを示す。尚、前記の各実施形態と同一部分は、同一符号を附して重複する説明を省略する。
【００５４】
コイルバネ７０は、光ファイバーケーブル１０に深刻なダメージを与える可能性が少ない軽微な引っ張りが作用したときに、当該コイルバネ７０によって光ファイバーケーブル１０にかかる荷重を緩和する目的で設ける。従って、コイルバネ７０は、例えば、若干強い風が吹いたとき、若干多めの降雪があったとき、若干強めの地震があったときのように、軽微な引っ張りが作用したときに展張してカプラソケット３０側への引張力を吸収緩和できるものを用いる。
【００５５】
かかるコイルバネ７０を用いれば、仮止部材の結合解除を避けて、仮止部材が外れた際に必要となる復旧メンテナンスの作業負担を軽減できる。
【符号の説明】
【００５６】
３  住宅の外壁
４  固定板
５  ネジ部材
６  ナット
１０  光ファイバーケーブル
１２  碍子（案内部材）
１２−２  環状部材
１３  ベースナット
１４  フック部材
１４−２  湾曲部
１４−３  ナット
２０  カプラプラグ（壁側カプラ／雄カプラ）
２１  差込材（仮止部材）
２２  凸部材
２５、３５  スナップ板
２６  雌スナップ材（仮止部材）
２６−１  穴部
２６−２  バネ材
２７  雌係合材（雌スナップ材；仮止部材）
３０  カプラソケット（係留カプラ／雌カプラ）
３０−３  突出ネジ
３１  差込孔
３２  凹部
３６  雄スナップ材（仮止部材）
３７  雄係合材（雄スナップ材；仮止部材）
５１、５２  永久磁石（仮止部材）
５３  筒材
６０  連絡材
７０  コイルバネ
７１、７２  連結部材
Ｑ  同心円（仮想線）
【図１】
0003207826.tif 000003
【図２】
0003207826.tif 000004
【図３】
0003207826.tif 000005
【図４】
0003207826.tif 000006
【図５】
0003207826.tif 000007
【図６】
0003207826.tif 000008
【図７】
0003207826.tif 000009
【図８】
0003207826.tif 000010
【図９】
0003207826.tif 000011
【図１０】
0003207826.tif 000012
【図１１】
0003207826.tif 000013
【図１２】
0003207826.tif 000014
【図１３】
0003207826.tif 000015
【手続補正書】
【提出日】平成28年9月29日(2016.9.29)
【手続補正１】
【補正対象書類名】実用新案登録請求の範囲
【補正対象項目名】請求項４
【補正方法】変更
【補正の内容】
【請求項４】
壁側カプラと係留カプラとを結ぶ連絡材を設け、
当該連絡材は、
壁側カプラと係留カプラとが分離したときに、
光ファイバーケーブルと連結されている係留カプラの下方落下を防止するもので、
アーム材、または、ワイヤ線／金属線／紐材等の線材とすることを特徴とする請求項１〜請求項３のいずれか一項に記載の光ファイバー用の引込連結具。